(57)【要約】  【課題】映像コンテンツの共有／非共有を携帯端末側から任意に切り換えることを可能とし、切り換えと連動して、自動的に音声コンテンツをオン／オフする。  【解決手段】映像コンテンツを再生する再生部と、再生される映像コンテンツを表示する表示部と、可搬型再生装置に対して映像コンテンツを無線通信によって伝送する通信部と、近傍に位置する１以上の第１のスピーカと、可搬型再生装置の近傍に位置する１以上の第２のスピーカとを有するスピーカ部と、スピーカ部の再生状態を制御する音声出力制御部とを備える。コンテンツ共有状態では、第１および第２のスピーカのそれぞれが映像コンテンツに関連する音声コンテンツを再生し、コンテンツ非共有状態では、第２のスピーカが映像コンテンツに関連する音声コンテンツを再生しないように、音声出力制御部が音声出力を制御する。【選択図】図４
2013192134.tif 000002
【特許請求の範囲】
【請求項１】
映像コンテンツを再生する再生部と、
再生される前記映像コンテンツを表示する表示部と、
可搬型再生装置に対して前記映像コンテンツを無線通信によって伝送する通信部と、
近傍に位置する１以上の第１のスピーカと、前記可搬型再生装置の近傍に位置する１以上の第２のスピーカとを有するスピーカ部と、
前記スピーカ部の再生状態を制御する音声出力制御部と
を備え、
前記映像コンテンツを前記表示部に表示する状態において、前記可搬型再生装置が前記映像コンテンツを表示するコンテンツ共有状態では、前記第１および第２のスピーカのそれぞれが前記映像コンテンツに関連する音声コンテンツを再生し、
コンテンツ非共有状態では、前記第２のスピーカが前記映像コンテンツに関連する音声コンテンツを再生しないように、前記音声出力制御部が音声出力を制御するコンテンツ再生装置。
【請求項２】
車載用のコンテンツ再生装置であって、
前記第１のスピーカが車の前部座席の近傍に配置され、前記第２のスピーカが車の後部座席の近傍に配置される請求項１に記載のコンテンツ再生装置。
【請求項３】
前記コンテンツ非共有状態において、前記可搬型再生装置に対して共有割り込み要求を送信し、前記可搬型再生装置から応答を受信する場合に、前記コンテンツ共有状態に遷移する請求項１に記載のコンテンツ再生装置。
【請求項４】
前記コンテンツ非共有状態において、前記可搬型再生装置から共有受諾を受信すると、前記コンテンツ共有状態に遷移する請求項１に記載のコンテンツ再生装置。
【請求項５】
前記コンテンツ共有状態において、前記可搬型再生装置から共有拒否を受信すると、前記コンテンツ非共有状態に遷移する請求項１に記載のコンテンツ再生装置。
【請求項６】
前記第２のスピーカが第３および第４のスピーカを含み、
第１および第２の前記可搬型再生装置のそれぞれの近傍に前記第３および第４のスピーカが位置し、
前記第１および第２の前記可搬型再生装置が独立して、前記コンテンツ共有状態および前記コンテンツ非共有状態を持つようにされる請求項１に記載のコンテンツ再生装置。
【請求項７】
映像コンテンツを再生する再生部と、
再生される前記映像コンテンツを表示する第１の表示部と、
前記映像コンテンツを無線通信によって伝送する第１の通信部と、
近傍に位置する１以上の第１のスピーカと、１以上の第２のスピーカとを有するスピーカ部と、
前記スピーカ部の再生状態を制御する音声出力制御部とを備えるコンテンツ再生装置と、
前記映像コンテンツを無線通信によって受信する第２の通信部と、
受信される前記映像コンテンツを表示する第２の表示部とを備え、前記第２のスピーカの近傍に位置する携帯端末とを備え、
前記映像コンテンツを前記第１の表示部に表示する状態において、前記可搬型再生装置が前記映像コンテンツを前記第２の表示部に表示するコンテンツ共有状態では、前記第１および第２のスピーカのそれぞれが前記映像コンテンツに関連する音声コンテンツを再生し、
コンテンツ非共有状態では、前記第２のスピーカが前記映像コンテンツに関連する音声コンテンツを再生しないように、前記音声出力制御部が音声出力を制御するコンテンツ再生システム。
【発明の詳細な説明】
【技術分野】
【０００１】
本開示は、コンテンツ再生装置およびコンテンツ再生システムに関する。
【背景技術】
【０００２】
車載型のコンテンツ再生装置（所謂カーオーディオ）の一つとして、ディスク再生機能を有するものが知られている。再生映像は、例えばカーナビゲーション装置のディスプレイ上に表示される。再生映像を後部座席においても鑑賞するためには、後部座席に設置されているリアモニタとコンテンツ再生装置との間をケーブルによって接続する必要があり、設置上の制約があり、設置作業も煩わしいものであった。
【０００３】
下記の特許文献１には、複数の乗員に対して別々に映像を提示できるマルチビューディスプレイを設け、映像に対応する音声を別々にスピーカに配信することが示されている。さらに、特許文献２には、車載装置と携帯端末との間の無線通信を確立し、両者を連携接続することが記載されている。
【先行技術文献】
【特許文献】
【０００４】
【特許文献１】特開２００７−１６０９７４号公報
【特許文献２】特開２０１０−１３０６７４号公報
【発明の概要】
【発明が解決しようとする課題】
【０００５】
これら特許文献１および２に記載のものは、車内において、コンテンツ例えば映像コンテンツを共有する、共有しないの切り換えを行うことについては、記載されていない。特に、端末側からの指示によって、共有／非共有の切り換えを指示できることは、端末を持っているユーザの利便性を向上させることができる。例えばユーザは、映像コンテンツを共有している状態から自分の好みの応用ソフトウェア例えばゲームのソフトウェアを起動してゲームを楽しむことができる。
【０００６】
したがって、本開示は、共有状態と非共有状態とを容易に切り換えをすることが可能なコンテンツ再生装置およびコンテンツ再生システムの提供を目的とする。
【課題を解決するための手段】
【０００７】
上述の課題を解決するために、本開示は、映像コンテンツを再生する再生部と、
再生される映像コンテンツを表示する表示部と、
可搬型再生装置に対して映像コンテンツを無線通信によって伝送する通信部と、
近傍に位置する１以上の第１のスピーカと、可搬型再生装置の近傍に位置する１以上の第２のスピーカとを有するスピーカ部と、
スピーカ部の再生状態を制御する音声出力制御部と
を備え、
映像コンテンツを表示部に表示する状態において、可搬型再生装置が映像コンテンツを表示するコンテンツ共有状態では、第１および第２のスピーカのそれぞれが映像コンテンツに関連する音声コンテンツを再生し、
コンテンツ非共有状態では、第２のスピーカが映像コンテンツに関連する音声コンテンツを再生しないように、音声出力制御部が音声出力を制御するコンテンツ再生装置である。
【０００８】
本開示は、映像コンテンツを再生する再生部と、
再生される映像コンテンツを表示する第１の表示部と、
映像コンテンツを無線通信によって伝送する第１の通信部と、
近傍に位置する１以上の第１のスピーカと、１以上の第２のスピーカとを有するスピーカ部と、
スピーカ部の再生状態を制御する音声出力制御部とを備えるコンテンツ再生装置と、
映像コンテンツを無線通信によって受信する第２の通信部と、
受信される映像コンテンツを表示する第２の表示部とを備え、第２のスピーカの近傍に位置する携帯端末とを備え、
映像コンテンツを第１の表示部に表示する状態において、可搬型再生装置が映像コンテンツを第２の表示部に表示するコンテンツ共有状態では、第１および第２のスピーカのそれぞれが映像コンテンツに関連する音声コンテンツを再生し、
コンテンツ非共有状態では、第２のスピーカが映像コンテンツに関連する音声コンテンツを再生しないように、音声出力制御部が音声出力を制御するコンテンツ再生システムである。
【発明の効果】
【０００９】
本開示は、表示部をケーブルで接続する必要がなく、設置面での制約がなく、ユーザの手持ちの携帯端末を利用するので、コスト面での負担もない。映像コンテンツの共有／非共有と連動して、自動的に音声コンテンツをオン／オフすることができ、非共有時に音声のみが聞こえて耳障りとなることを防止できる。さらに、共有／非共有を携帯端末側から任意に切り換えることができる。
【図面の簡単な説明】
【００１０】
【図１】本開示の一実施の形態におけるコンテンツ再生装置の一例のブロック図である。
【図２】本開示の一実施の形態における携帯端末の一例のブロック図である。
【図３】本開示の一実施の形態におけるスピーカの配置関係を示す略線図である。
【図４】本開示の一実施の形態におけるスピーカおよび携帯端末の配置関係、並びにスピーカの制御方法を説明するための略線図である。
【図５】本開示の一実施の形態における機器にインストールされるアプリケーションの説明に用いる略線図である。
【図６】本開示の一実施の形態における機器登録時の動作シーケンスを示す略線図である。
【図７】本開示の一実施の形態における機器登録時の動作シーケンスを示す略線図である。
【図８】本開示の一実施の形態におけるコンテンツ共有時の動作シーケンスを示す略線図である。
【図９】本開示の一実施の形態におけるコンテンツ共有状態からコンテンツ非共有状態に移る場合の動作シーケンスを示す略線図である。
【図１０】本開示の一実施の形態におけるスピーカおよび携帯端末の配置関係、並びにスピーカの制御方法を説明するための略線図である。
【発明を実施するための形態】
【００１１】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
【００１２】
＜１．一実施の形態＞
「コンテンツ再生装置」
図１を参照して車載用のコンテンツ再生装置１００の一例について説明する。コンテンツ再生装置１００は、例えば車のダッシュボードに取り付けられる。コンテンツ再生装置１００は、装置の全体のコントローラの機能を有するアプリケーションプロセッサ１０１を有する。アプリケーションプロセッサとは、ＣＰＵ(Central Processing Unit) に基本的なアプリケーションまで組み込んだ半導体の総称である。典型的には、携帯端末に使用するＣＰＵとその周辺回路、ミドルウエア、アプリケーションの一部まで含むプロセッサである。
【００１３】
なお、携帯端末とは、据置型端末に対するもので、携帯できる端末のことである。具体的には、携帯電話、スマートホン、タブレットパーソナルコンピュータ、携帯ゲーム装置等である。さらに、一実施の形態においては、一つのアプリケーションプロセッサ１０１を備えているが、一部の機能を受け持つＣＰＵを別に備えるようにしても良い。例えば既存の車載用オーディオ装置が行う処理を既存のＣＰＵが行うようにしても良い。
【００１４】
コンテンツ再生装置１００のアプリケーションプロセッサ１０１に対して複数の構成要素が接続される。一例として、チューナ１０２、ディスク再生部１０３、電子ボリューム１０４、スピーカ群１０５、リモートコントロール受信部１０６、入力部１０７、通信部１０８、表示部１０９、サウンドＤＳＰ（Digital Signal Processing）１１０、フラッ
シュＲＯＭ(Read Only Memory)１１１がアプリケーションプロセッサ１０１に接続されている。スピーカ群１０５は、車の前部座席の近傍に設けられているスピーカと、後部座席の近傍に設けられているスピーカとを含んでいる。
【００１５】
チューナ１０２は、ラジオ放送を受信し、受信されたラジオ放送信号の復調やアナログ／デジタル変換、符号化されているデータの復号等の処理などを行い、ラジオ音声データを復元する。ラジオ音声データは、アプリケーションプロセッサ１０１の制御のもとで、電子ボリューム１０４によって音量が調整されてスピーカ群１０５に供給され、スピーカ群１０５により音声として出力される。電子ボリューム１０４は、アプリケーションプロセッサ１０１の制御に基づいて、チューナ１０２、ディスク再生部１０３等から供給される音声信号を増幅して音量を調整する。
【００１６】
サウンドＤＳＰ１１０は、デジタル音声信号を処理するもので、入力部１０７からの入力またはアプリケーションプロセッサ１０１において生成される制御信号に応答して再生音声の定位を制御することができる。すなわち、前後方向の音像の定位と、左右方向の音像の定位とを制御することが可能とされている。例えば車内の中央位置に音像を定位させることによって、着座位置にかかわらず、ほぼ均等に再生音声を聴取することができる。車内の前側に音像を定位させることによって、前部座席位置のユーザが主として再生音声を聴取することができる。
【００１７】
ディスク再生部１０３は、多種のディスク状記録媒体を再生することが可能とされている。すなわち、ＣＤ（Compact Disc)、ＣＤ−Ｒ(Recordable／ＣＤ−ＲＷ(ReWritable)、ＤＶＤ(Digital Versatile Disc) ビデオ、ＤＶＤ−Ｒ(DVD-Recordable)、ＢＤ（Blu-ray Disc）等のディスク状媒体を再生することが可能とされている。ディスク再生部１０３
では、ディスク状記録媒体から再生された信号に対して復号等の処理を施して、デジタルオーディオ信号、デジタルビデオ信号を生成する。これらのデジタルオーディオ信号、デジタルビデオ信号がアプリケーションプロセッサ１０１に供給される。なお、図示しないが、ＵＳＢ(Universal Serial Bus)接続用端子を設け、ＵＳＢメモリに可能されている圧縮デジタルオーディオ信号の再生を可能としても良い。
【００１８】
アプリケーションプロセッサ１０１に接続される表示部１０９の画面上にディスク状記録媒体から再生される映像情報が表示される。表示部１０９は、ＬＣＤ（Liquid Crystal Display)、ＰＤＰ(Plasma Display Panel)、有機ＥＬ(Electroluminescence:電界発光効果)パネルなどにより構成された表示装置である。表示部１０９には、再生映像情報の他
に、各種操作のメニューを表示するホーム画面、楽曲リスト、再生中の楽曲情報（アーティスト名、曲名など）などが表示される。表示部１０９として、カーナビゲーション装置の表示部を使用しても良い。
【００１９】
リモートコントロール受信部１０６は、ユーザの操作により付属のリモートコントロールコマンダから送信されたコントロール信号を受信してアプリケーションプロセッサ１０１に対して出力する。入力部１０７は、ユーザが各種入力操作を行うための入力手段である。入力部１０７は、ボタン、タッチパネル、スイッチ等により構成される。なお、入力部１０７は、表示部１０９と一体に構成されたタッチスクリーンとして構成してもよい。入力部１０７に対してユーザによる入力がなされると、その入力に対応した制御信号が生成され、制御信号がアプリケーションプロセッサ１０１に出力される。アプリケーションプロセッサ１０１が制御信号に対応して演算処理や制御を行う。
【００２０】
通信部１０８は、同一の車内の乗員が携帯する携帯端末２００との無線通信を行うものである。通信部１０８における通信方式としては、Bluetooth（登録商標）、無線ＨＤＭ
Ｉ(High-definition multimedia interface)、Ｗｉ−Ｆｉ（Wireless Fidelity）、ミリ
波通信、ワイヤレスＵＳＢ等を使用することができる。さらに、通信部１０８は、複数の無線方式に対応できる構成であっても良い。さらに、映像データ、音声データ以外にプログラム等のデータの伝送も通信部１０８が行うようになされている。
【００２１】
本開示の一実施の形態では、ディスク再生部１０３においてディスク状記録媒体例えばＤＶＤから再生される映像データおよび音声データをコンテンツ再生装置１００と携帯端末２００との何れにおいても視聴可能とされている。コンテンツ再生装置１００では、再生映像が表示部１０９に表示されると共に、スピーカ群１０５を通じて音声が再生される。携帯端末２００では、携帯端末２００に備えられている表示部に無線通信を介して受信される映像が表示される。音声は、携帯端末２００のスピーカ並びに携帯端末２００を持っている乗員の近傍のスピーカ、または近傍のスピーカのみから出力される。
【００２２】
フラッシュＲＯＭ１１１は、不揮発性メモリであり、通信に関する情報、ラジオ放送の周波数情報等の各種のデータが格納される。そして、格納されているデータがアプリケーションプロセッサ１０１に対して供給される。
【００２３】
「携帯端末」
図２を参照して携帯端末２００の一例について説明する。携帯端末２００は、乗員が持っている例えばスマートホンである。携帯端末２００は、装置の全体のコントローラの機能を有するアプリケーションプロセッサ２０１を有する。アプリケーションプロセッサ２０１は、携帯端末に使用するＣＰＵとその周辺回路、ミドルウエア、アプリケーションの一部まで含むプロセッサである。
【００２４】
携帯端末２００のアプリケーションプロセッサ２０１に対して複数の構成要素が接続される。一例として、マイクロホン２０２、スピーカ２０３、入力部２０４、通信部２０５、表示部２０６、記憶部２０７、ネットワークインターフェース２０８がアプリケーションプロセッサ２０１に接続されている。ケースの一部に取り付けられているマイクロホン２０２を通じて音声入力を行うことができ、ケースに取り付けられているスピーカ２０３から音声が出力される。なお、コンテンツ再生装置１００と携帯端末２００とが共有状態にある場合には、携帯端末２００のスピーカ２０３に対する入力がオフとされ、スピーカ２０３が不使用状態とされるように設定可能とされている。
【００２５】
アプリケーションプロセッサ２０１に接続される表示部２０６の画面上に各種の応用ソフトウェアのアイコンが表示され、起動されるアプリに応じた画面が表示される。さらに、表示部２０６の画面上にコンテンツ再生装置１００から送信され、携帯端末２００によって受信される映像が表示される。表示部２０６には、再生映像情報の他に、各種操作のメニューを表示するホーム画面、楽曲リスト、再生中の楽曲情報（アーティスト名、曲名など）などが表示される。表示部２０６は、ＬＣＤ、ＰＤＰ、有機ＥＬパネルなどにより構成されている。
【００２６】
入力部２０４は、ユーザが各種入力操作を行うための入力手段である。入力部２０４は、表示部２０６と一体に構成されたタッチパネルの構成とされる。入力部２０４に対してユーザによる入力がなされると、その入力に対応した制御信号が生成され、制御信号がアプリケーションプロセッサ２０１に出力される。アプリケーションプロセッサ２０１が制御信号に対応して演算処理や制御を行う。
【００２７】
通信部２０５は、車内に設置されている上述したコンテンツ再生装置１００との通信を行うものである。通信部２０５における通信方式としては、Bluetooth（登録商標）、無
線ＨＤＭＩ(High-definition multimedia interface)、Ｗｉ−Ｆｉ（Wireless Fidelity
）、ミリ波通信、ワイヤレスＵＳＢ等を使用することができる。さらに、通信部２０５は、複数の無線方式に対応できる構成であっても良い。さらに、映像データ、音声データ以外にプログラム等のデータの伝送も通信部２０５が行うようになされている。
【００２８】
記憶部２０７は、例えば、ＨＤＤ、フラッシュメモリなどの大容量記憶媒体から構成されており、携帯端末２００によって再生される楽曲などのコンテンツデータなどを保存するものである。楽曲データは、ＷＡＶ（RIFF waveform Audio Format）、またはＭＰ３（MPEG Audio Layer-3）、ＡＡＣ（Advanced Audio Coding）などの方式で音声圧縮された
状態で記憶部２０７に記憶される。また、楽曲のアーティスト名、アルバム名、曲名、総再生時間、再生時間情報などを含む楽曲情報も楽曲データのメタデータとして記憶部２０７に保存されている。楽曲情報は、例えば、ＣＤＤＢ(Compact Disc DataBase)を利用す
ることにより取得することができる。さらに、ユーザが任意に楽曲情報を設定できるようにしてもよい。
【００２９】
ネットワークインターフェース２０８は、例えば、所定のプロトコルに基づいて外部基地局などとの間でデータの送受信を行うものである。通信方式は無線ＬＡＮ（Local Area Network）、Ｗｉ−Ｆｉ、３Ｇ回線を用いた通信など、どのような方式でも良い。ネットワークインターフェース２０８によって、携帯端末２００はインターネット接続、他者との通話などを行うことが可能となる。
【００３０】
アプリケーションプロセッサ２０１によって、携帯端末２００にインストールされた各種アプリケーションが実行される。本開示の一実施の形態では、コンテンツ再生装置１００と携帯端末２００とが互いに通信を行い、アプリケーションを共有するようになされる。例えばコンテンツ再生装置１００がマスターデバイスとなり、携帯端末２００がスレーブデバイスとなる。コンテンツ再生装置１００は、携帯端末２００との無線通信によって、双方の情報をやり取りする専用のプロトコル通信を介してコンテンツ共有のトリガーを持ち、例えばディスク状記録媒体から再生される映像コンテンツの共有を行うようになされる。情報共有アプリケーションの具体例として、「VNC Viewer」のようなソフトウェアがある。かかる情報共有アプリケーションによって、コンテンツ再生装置１００から映像コンテンツを携帯端末２００に送信し、携帯端末２００によって映像コンテンツを表示することが可能とされる。
【００３１】
なお、情報共有アプリケーションは予め携帯端末２００にインストールした状態でユーザに提供するようにしてもよいし、ユーザが自ら携帯端末２００にインストールするようにしてもよい。情報共有アプリケーションは、例えば、インターネット上のアプリケーション販売サイト、アプリケーションダウンロードサービスを介して提供または販売される。さらに、情報共有アプリケーションが記録された光ディスクや半導体メモリなどの可搬型記録媒体によって提供または販売されてもよい。
【００３２】
なお、携帯端末２００として、スマートフォン以外に、携帯電話機、携帯音楽プレーヤ、タブレット端末を使用できる。さらに、携帯端末２００が撮像部と画像処理部などからなるカメラ機能などを持つようにしても良い。
【００３３】
「スピーカの配置と制御」
図３に示すように、コンテンツ再生装置１００と接続されるスピーカ群１０５の複数のスピーカが自動車に取り付けられている。すなわち、前部座席の運転手の近傍にスピーカＳＰ１が設置され、助手席の近傍にスピーカＳＰ２が設置され、後部座席の左右にスピーカＳＰ３およびＳＰ４がそれぞれ設置される。これらのスピーカＳＰ１〜ＳＰ４が運転席の前に設置されているコンテンツ再生装置１００とケーブルを介して接続されている。
【００３４】
一例として、図４Ａおよび図４Ｂに示すように、後部座席に携帯端末２００を持ったユーザがいる場合におけるスピーカからの音声再生の制御について説明する。コンテンツ再生装置１００によってディスク状記録媒体例えばＤＶＤが再生され、再生映像がコンテンツ再生装置１００に関連する表示部によって表示される。さらに、情報共有アプリケーションがコンテンツ再生装置１００および携帯端末２００の双方にインストールされているので、再生映像を携帯端末２００の画面上で見ることができる。この共有状態では、図４Ａに示すように、前後の全てのスピーカＳＰ１〜ＳＰ４がオン状態とされ、再生されるＤＶＤの映像に関連する音声がこれらのスピーカＳＰ１〜ＳＰ４に供給され、音声が再生される。
【００３５】
一方、後部座席のユーザが携帯端末２００によって映像共有のアプリケーション以外のアプリケーション例えばゲームを行う場合には、再生映像が携帯端末２００の画面に表示されないようにする必要がある。さらに、後部座席に設けられているスピーカＳＰ３およびＳＰ４からの音が不要となり、耳障りな音となる可能性がある。この非共有状態では、図４Ｂに示すように、スピーカＳＰ３およびＳＰ４からの音声の出力がオフ（×の文字を付す）とされる。その結果、後部座席のユーザは、ＤＶＤの再生音声を殆ど聞こえなくなるので、再生音声がゲーム等を楽しむ上で妨げとならない。アプリケーションを実行する場合に限らず、睡眠等のために、ＤＶＤの再生映像を見たくない場合も同様に、再生音声を聞こえないようにできる。スピーカＳＰ３およびＳＰ４をオフとするには、サウンドＤＳＰによって、音像を前部座席の近傍に定位させる方法、これらのスピーカに対する音声入力をミュートする方法、逆位相の音声信号を入力して入力音声信号をキャンセルする方法等を使用することができる。
【００３６】
「情報共有アプリケーションの一例」
情報共有アプリケーションがインストールされているコンテンツ再生装置１００において、表示部１０９の画面には、図５Ａに示すようなメニュー画面１０９ａが表示される。メニュー画面１０９ａにおいて、複数のアイコンの中で、共有アプリケーションのアイコン(Share App) がユーザの入力操作によって選択される。
【００３７】
この選択操作に応じて表示部１０９のメニュー画面１０９ａが画面１０９ｂに遷移する。画面１０９ｂでは、登録用アイコン１２１と共有用アイコン１２２とが表示される。登録用アイコン１２１をユーザが選択すると、周辺機器が探索され、探索された周辺機器が登録される。さらに、共有用アイコン１２２をユーザが選択すると、登録されている周辺機器との間で、コンテンツ共有状態が生じる。
【００３８】
情報共有アプリケーションがインストールされている携帯端末２００において、図５Ｂに示すように、表示部（タッチパネル）２０６の画面２０６ａを例えば下方向にフリックすると、画面（ページ）２０６ａが画面２０６ｂに移動する。画面２０６ｂでは、アプリケーション名(Share wait application)が表示される。このアプリケーション名の表示をタップによって選択すると、画面２０６ｂが画面２０６ｃに移動する。画面２０６ｃにおいて、メニュー名(Share from Master)と許可用アイコン２１１および拒絶用アイコン２
１２が表示される。
【００３９】
一方の許可用アイコン２１１がタップによって選択されると、コンテンツ再生装置１００との間でコンテンツ共有が許可される。許可用アイコン２１１がタップされると、コンテンツ共有許可の情報がコンテンツ再生装置１００に伝送される。他方の拒絶用アイコン２１２がタップによって選択されると、コンテンツ再生装置１００との間でコンテンツ共有が拒絶される。アイコン２１２がタップされると、コンテンツ共有拒絶の情報がコンテンツ再生装置１００に伝送される。
【００４０】
「機器登録時の処理」
図６のフローチャートを参照して機器登録処理について説明する。コンテンツ再生装置１００および携帯端末２００に対しては、予めアプリケーションソフトウェアがインストールされている。アプリケーションが起動されると、コンテンツ再生装置１００がデバイス検索処理Ｓ１を行う。デバイス検索処理Ｓ１に対して携帯端末２００が応答を返す処理Ｓ２を行う。応答を受信すると、コンテンツ再生装置１００の画面には、登録用アイコン１２１が表示される。
【００４１】
登録用アイコン１２１がタップによって選択されると、共有登録ネゴシエーションＳ３が行われ、コンテンツ再生装置１００と携帯端末２００との間のコンテンツ共有の接続が確立される。接続が確立されると、携帯端末２００において、上述したように、許可用アイコン２１１および拒絶用アイコン２１２が表示される。携帯端末２００を持つユーザは、共有を許可する場合には、許可用アイコン２１１をタップする。許可用アイコン２１１が選択されることによって、携帯端末２００からコンテンツ再生装置１００に対して共有登録許可の送信処理Ｓ４がなされる。
【００４２】
コンテンツ再生装置１００が携帯端末２００から共有登録許可を受信することによって、共有割り込みレディ状態となる。図６に示す例では、共有割り込みレディ状態において、コンテンツ再生装置１００がＤＶＤの再生を行い、携帯端末２００がゲームのアプリケーションを起動している例が示されている。共有割り込みレディ状態では、例えばＤＶＤの再生音声は、前部座席の近傍のスピーカＳＰ１およびＳＰ２によってされ、後部座席のスピーカＳＰ３およびＳＰ４からは、再生されない。但し、共有アプリケーションが起動されていない状態では、ユーザの手動の調整によって、各スピーカからの音声の再生が制御される。なお、拒絶用アイコン２１２が選択される場合には、共有割り込みレディ状態とならない。
【００４３】
「コンテンツ共有時の処理の一例」
次に、図７のフローチャートを参照してコンテンツ共有時の処理について説明する。上述したように、共有割り込みレディ状態とされていることが前提である。コンテンツ再生装置１００において、ＤＶＤ再生動作を行っている時に、メニュー画面を開き、共有アプリケーションを起動する。そして、共有用アイコン１２２が選択されると、携帯端末２００に対して共有割り込み要求の送信処理Ｓ１１がなされる。
【００４４】
携帯端末２００がこの要求を受け取ると、ゲームアプリケーションを立ち上げている状態の携帯端末２００の画面に、許可用アイコン２１１および拒絶用アイコン２１２が表示される。図７の例では、ユーザが許可用アイコン２１１をタップすることによって、許可を選択する。その結果発生する応答の送信処理Ｓ１２がなされる。
【００４５】
携帯端末２００において、共有許可がユーザによって選択され、その選択に対応する応答がコンテンツ再生装置１００に送信されることによって、コンテンツ共有状態となる。コンテンツ共有状態では、携帯端末２００の表示画面には、コンテンツ再生装置１００において再生されているＤＶＤの再生画面が表示される。したがって、コンテンツ再生装置１００と携帯端末２００との間で、映像の共有がなされる。
【００４６】
ＤＶＤの再生画面に関連する音声は、図４Ａに示すように、後部座席のユーザの近傍のスピーカＳＰ３およびＳＰ４から再生され、携帯端末２００の再生画面を見ながらこれらのスピーカＳＰ３およびＳＰ４からの音を聞くことができる。したがって、コンテンツ再生装置１００と携帯端末２００とが映像および音声を共有する。さらに、コンテンツ共有状態では、携帯端末２００のスピーカ２０３からの音の再生が停止されるように設定されても良い。
【００４７】
「コンテンツ共有時の処理の他の例」
図７に示す例では、コンテンツ再生装置１００からの割り込み要求によって、コンテンツ再生装置１００と携帯端末２００との間で、映像コンテンツが共有される。一方、図８に示すように、携帯端末２００において共有アプリケーションを立ち上げて、携帯端末２００側からコンテンツ共有状態を生じさせても良い。
【００４８】
共有割り込みレディ状態において、携帯端末２００において、図５Ｂを参照して説明したように、共有アプリケーションが起動されると、許可用アイコン２１１と拒絶用アイコン２１２とが表示されるページが表示される。ユーザが許可用アイコン２１１を選択することによって、共有割り込み受諾の送信処理Ｓ１３がなされる。
【００４９】
携帯端末２００からの共有割り込み受諾をコンテンツ再生装置１００が受け取ると、コンテンツ共有状態となる。コンテンツ共有状態では、携帯端末２００の表示画面には、コンテンツ再生装置１００において再生されているＤＶＤの再生画面が表示される。したがって、コンテンツ再生装置１００と携帯端末２００との間で、映像の共有がなされる。このように、共有割り込みレディ状態とされていると、コンテンツ再生装置１００および携帯端末２００の何れか一方を操作することによって、コンテンツ再生装置１００における映像コンテンツを共有する状態とできる。
【００５０】
「コンテンツ共有拒絶時の処理」
上述したように、コンテンツ共有状態とされている場合に、携帯端末２００側の操作によって、共有状態を解除して共有割り込みレディ状態に遷移させることができる。図９に示すように、コンテンツ共有状態では、コンテンツ再生装置１００および携帯端末２００の両者が例えばＤＶＤの再生画像をそれぞれの表示部によって表示している。図４Ａに示すように、車内の全スピーカＳＰ１〜ＳＰ４から再生画像に関連する音声が再生されている。
【００５１】
コンテンツ共有状態において、携帯端末２００のユーザがコンテンツの共有を止めたい場合には、携帯端末２００において、共有アプリケーションが起動され、許可用アイコン２１１と拒絶用アイコン２１２とを含むページが表示される。ユーザが拒絶用アイコン２１２を選択することによって、携帯端末２００におけるコンテンツ共有状態が解除され、共有割り込み拒否の送信処理Ｓ１４がなされる。
【００５２】
コンテンツ再生装置１００が携帯端末２００から共有割り込み拒否を受信すると、共有状態を解除し、共有割り込みレディ状態となる。この場合、車内のスピーカの内で、後部座席の近傍のスピーカＳＰ３およびＳＰ４からの音声再生が停止される。スピーカＳＰ３およびＳＰ４をオフとするには、サウンドＤＳＰによって、音像を前部座席の近傍に定位させる方法、これらのスピーカに対する音声入力をミュートする方法、逆位相の音声信号を入力して入力音声信号をキャンセルする方法等を使用することができる。さらに、携帯端末２００のスピーカ２０３からの音の出力が停止するように設定されている場合には、コンテンツ共有状態が解除されるのと連動して携帯端末２００のスピーカ２０３が音声出力可能な状態となる。
【００５３】
＜２．変形例＞
以上、本技術の一実施の形態について具体的に説明したが、本技術は、上述の実施の形態に限定されるものではなく、本技術の技術的思想に基づく各種の変形が可能である。
【００５４】
例えば上述した一実施の形態では、図４を参照して説明したように、コンテンツ再生装置１００と後部座席のユーザが持っている携帯端末２００とが共有状態では、全てのスピーカＳＰ１〜ＳＰ４から音声を再生する。一方、共有割り込みレディ状態のように、非共有状態では、スピーカＳＰ３、ＳＰ４からの音声の再生が停止される。
【００５５】
しかしながら、スピーカＳＰ１〜ＳＰ４の制御方法としては、図１０に示すような制御方法が可能である。図１０Ａに示す配置では、自動車の助手席に座っているユーザが携帯端末２００を持っている。コンテンツ再生装置１００と携帯端末２００とが非共有状態の場合には、ユーザの近傍のスピーカＳＰ２からの出力音が聞こえないようにされ、スピーカＳＰ２の音が耳障りとなることが防止される。
【００５６】
さらに、本開示では、図１０Ｂに示すように、後部座席に２台の携帯端末２００ａおよび２００ｂが使用される場合、各携帯端末の共有／非共有状態に応じてスピーカからの音の出力を制御するようにしても良い。図６を参照して説明したように、共有登録ネゴシエーションＳ３において、コンテンツ再生装置１００との間でコンテンツを共有するための処理に加えて携帯端末２００ａ、２００ｂのそれぞれの位置の情報がコンテンツ再生装置１００に対して送信される。
【００５７】
例えば携帯端末２００ａの場合には、後部右の位置を表す情報がコンテンツ再生装置１００に対して送信され、例えば携帯端末２００ｂの場合には、後部左の位置を表す情報がコンテンツ再生装置１００に対して送信される。コンテンツ再生装置１００と携帯端末２００ａの共有／非共有関係と、コンテンツ再生装置１００と携帯端末２００ｂの共有／非共有関係とは、独立して設定可能とされている。したがって、コンテンツ再生装置１００と携帯端末２００ａとが共有状態にあり、コンテンツ再生装置１００と携帯端末２００ｂとが非共有状態にある場合が生じる。
【００５８】
このような場合には、図１０Ｂに示すように、後部座席の左側（すなわち、携帯端末２００ｂを持つユーザの側）のスピーカＳＰ４からの音声の出力がオフ（×の文字を付す）とされる。すなわち、後部座席のスピーカＳＰ３およびＳＰ４を独立して制御することができる。その結果、後部座席の左側に座っているユーザは、ＤＶＤの再生音声を殆ど聞こえなくなるので、再生音声がゲーム等を楽しむ上で妨げとならない。他のアプリケーションを行う場合に限らず、睡眠等のために、ＤＶＤの再生映像を見たくない場合も同様に、再生音声を聞こえないようにできる。
【００５９】
上述した一実施の形態は、車載装置に対して本開示を適用した例である。しかしながら、家庭用シアターシステムにおいて、離れた部屋での映像コンテンツの共有に対しても同様に適用することができる。ＤＶＤの再生映像以外の映像コンテンツ例えばインターネット上の映像の共有に対しても本開示を適用できる。
【００６０】
なお、本開示は以下のような構成も取ることができる。
（１）
映像コンテンツを再生する再生部と、
再生される前記映像コンテンツを表示する表示部と、
可搬型再生装置に対して前記映像コンテンツを無線通信によって伝送する通信部と、
近傍に位置する１以上の第１のスピーカと、前記可搬型再生装置の近傍に位置する１以上の第２のスピーカとを有するスピーカ部と、
前記スピーカ部の再生状態を制御する音声出力制御部と
を備え、
前記映像コンテンツを前記表示部に表示する状態において、前記可搬型再生装置が前記映像コンテンツを表示するコンテンツ共有状態では、前記第１および第２のスピーカのそれぞれが前記映像コンテンツに関連する音声コンテンツを再生し、
コンテンツ非共有状態では、前記第２のスピーカが前記映像コンテンツに関連する音声コンテンツを再生しないように、前記音声出力制御部が音声出力を制御するコンテンツ再生装置。
（２）
車載用のコンテンツ再生装置であって、
前記第１のスピーカが車の前部座席の近傍に配置され、前記第２のスピーカが車の後部座席の近傍に配置される（１）に記載のコンテンツ再生装置。
（３）
前記コンテンツ非共有状態において、前記可搬型再生装置に対して共有割り込み要求を送信し、前記可搬型再生装置から応答を受信する場合に、前記コンテンツ共有状態に遷移する（１）（２）の何れかに記載のコンテンツ再生装置。
（４）
前記コンテンツ非共有状態において、前記可搬型再生装置から共有受諾を受信すると、前記コンテンツ共有状態に遷移する（１）（２）（３）の何れかに記載のコンテンツ再生装置。
（５）
前記コンテンツ共有状態において、前記可搬型再生装置から共有拒否を受信すると、前記コンテンツ非共有状態に遷移する（１）（２）（３）（４）の何れかに記載のコンテンツ再生装置。
（６）
前記第２のスピーカが第３および第４のスピーカを含み、
第１および第２の前記可搬型再生装置のそれぞれの近傍に前記第３および第４のスピーカが位置し、
前記第１および第２の前記可搬型再生装置が独立して、前記コンテンツ共有状態および前記コンテンツ非共有状態を持つようにされる（１）（２）（３）（４）（５）の何れかに記載のコンテンツ再生装置。
（７）
映像コンテンツを再生する再生部と、
再生される前記映像コンテンツを表示する第１の表示部と、
前記映像コンテンツを無線通信によって伝送する第１の通信部と、
近傍に位置する１以上の第１のスピーカと、１以上の第２のスピーカとを有するスピーカ部と、
前記スピーカ部の再生状態を制御する音声出力制御部とを備えるコンテンツ再生装置と、
前記映像コンテンツを無線通信によって受信する第２の通信部と、
受信される前記映像コンテンツを表示する第２の表示部とを備え、前記第２のスピーカの近傍に位置する携帯端末とを備え、
前記映像コンテンツを前記第１の表示部に表示する状態において、前記可搬型再生装置が前記映像コンテンツを前記第２の表示部に表示するコンテンツ共有状態では、前記第１および第２のスピーカのそれぞれが前記映像コンテンツに関連する音声コンテンツを再生し、
コンテンツ非共有状態では、前記第２のスピーカが前記映像コンテンツに関連する音声コンテンツを再生しないように、前記音声出力制御部が音声出力を制御するコンテンツ再生システム。
【符号の説明】
【００６１】
１００・・・コンテンツ再生装置
１０１・・・アプリケーションプロセッサ
１０３・・・ディスク再生部
１０８・・・通信部
１１０・・・サウンドＤＳＰ
２００・・・携帯端末
２０１・・・アプリケーションプロセッサ
２０５・・・通信部
２０６・・・表示部
【図１】
2013192134.tif 000003
【図２】
2013192134.tif 000004
【図３】
2013192134.tif 000005
【図４】
2013192134.tif 000006
【図５】
2013192134.tif 000007
【図６】
2013192134.tif 000008
【図７】
2013192134.tif 000009
【図８】
2013192134.tif 000010
【図９】
2013192134.tif 000011
【図１０】
2013192134.tif 000012